(57)【特許請求の範囲】
【請求項１】
油封入電気機器の一部を切断解体し、そこから取り出した油浸絶縁材料を遠心用容器に入れ、次いでこれを遠心分離機にかけて、遠心用容器の内壁に付着した絶縁油を採取することを特徴とする採油方法。
【請求項２】
油封入電気機器の一部を切断解体し、そこから取り出した油浸絶縁材料と液体吸着材料を遠心用容器に入れ、次いでこれを遠心分離機にかけて、油浸絶縁材料から分離した絶縁油を液体吸着材料に吸着させ、さらに液体吸着材料から絶縁油を採取することを特徴とする採油方法。
【請求項３】
液体吸着材料が、繊維の塊、紙片、布片、不織布片、高分子多孔質体及びそれらの組合せから選択される請求項２に記載の採油方法。
【請求項４】
遠心分離機が、卓上型遠心分離機である請求項１〜３いずれかに記載の採油方法。
【請求項５】
遠心用容器が、ガラス製またはプラスチック製である請求項１〜４いずれかに記載の採油方法。
【請求項６】
油封入電気機器が、絶縁油が枯渇状態にある油封入電気機器である請求項１〜５いずれかに記載の採油方法。
【請求項７】
請求項１〜６いずれかに記載の採油方法により絶縁油を採取し、採取した絶縁油をＰＣＢ分析、ガス分析、定性分析または特性試験に供することを特徴とする分析方法。
【発明の詳細な説明】
【技術分野】
【０００１】
本発明は、油封入電気機器から絶縁油を採取する絶縁油の採油方法及び分析方法に関する。
【背景技術】
【０００２】
油封入電気機器では、所望の電気特性を確保するため、一定期間使用した絶縁油について特性試験や性状分析等を行い、劣化度を把握することが行われている。絶縁油が劣化している場合は、新しい絶縁油（新油）と交換して油封入電気機器を継続使用する。そのため、性状分析の際に、過去に絶縁油として用いられたことがあるポリ塩化ビフェニル（ＰＣＢ）等が検出されることがある。
【０００３】
ちなみに、ＰＣＢは、その毒性により１９７２年に製造等が中止され、平成３７年までに使用の全廃がストックホルム条約で定められており、事業者が電気機器を処分する際は、産業廃棄物処理業者にＰＣＢ混入可能性の有無について通知する必要がある。このとき、機器毎に測定した絶縁油中のＰＣＢ濃度が、処理の目標基準である０．５ｍｇ／ｋｇ以下であるときは、当該廃電気機器はＰＣＢ廃棄物に該当しないものとして扱われる。
【０００４】
現行では、トランスやケーブル等の油封入電気機器には、ＪＩＳ及び旧ＪＩＳで規定された鉱油等の絶縁油が封入されているが、長期間使用されたＯＦケーブル（Oil Filled Cable）等においては、採油場所であるコネクタを開けて採油を試みるも、絶縁油が枯渇し、流れ落ちる絶縁油を確保できないことがある。
【０００５】
ＯＦケーブルの絶縁紙に含まれるＰＣＢの分析方法としては、ソックスレー抽出法が知られている（例えば、特許文献１参照）。特許文献１には、ケーブルを廃棄等する際に絶縁紙中のＰＣＢを検査するため、絶縁油を含浸した絶縁紙による被覆がなされたケーブル断面からインクリメントボアラー（生長錘）を用いてケーブルの外部保護被覆を破壊せずに絶縁紙を抜き取り、絶縁紙に含まれるＰＣＢをｎ−ヘキサン等の有機溶剤にて、温度１５０〜２００℃で抽出した後、抽出液をガスクロマトグラフィー質量分析計（ＧＣ−ＭＳ）等の分析機器で測定する方法が記載されている。溶剤抽出に際しては、加圧下で行うことにより、絶縁紙に含まれるＰＣＢを効率よく抽出し溶剤に溶解させることができることが記載されている。
【０００６】
しかし、ソックスレー抽出法は、抽出時間が長い、多量の抽出溶剤を必要とする等、迅速性、安全面で課題があり、しかもＰＣＢを含む抽出溶剤の廃棄処理にともなう問題点も抱えている。また、絶縁油中のＰＣＢを直接分析していないため、分析精度面でも課題がある。
【０００７】
その点、油封入電気機器の構成部材である油浸絶縁材料、即ち絶縁油が浸透している材料から直接、絶縁油を採取することができれば、迅速性、安全性と言った課題を解決し得るものの、上記したように、採油場所であるコネクタを開けて採油を試みた際に、絶縁油が枯渇し、流れ落ちる絶縁油を確保できないことがある。
【０００８】
電力ケーブル内から絶縁紙を取り出す方法として、特許文献２には、スパイラル管と導線束を引き抜いた電力ケーブルの一端からその内部に向けて、絶縁紙を長手方向に切断する切断刃を備えた除去装置を挿入し、これを進退移動させる方法が記載されている。しかし、この方法は、不要となり放棄された電力ケーブルを撤去する際に、電力ケーブル内面から絶縁紙を迅速かつ確実に離脱除去する方法を提案したものであり、絶縁紙を絶縁油分析に用いることの記載はない。
【０００９】
特許文献３には、ＰＣＢ含有絶縁油が浸透されている絶縁紙が積層状態で用いられている機器解体物を、ローラプレス機を用いて加圧することにより、解体物の内部に浸透されているＰＣＢ含有絶縁油を解体物の一端側から他端側に押し出して除去する方法が記載されている。これにより、解体物の内部に浸透されている絶縁油の量を減量させることができ、洗浄処理や真空加熱処理等の処理時間を短縮させることができる。しかし、絶縁紙を絶縁油分析に用いることの記載はない。
【００１０】
一方、特許文献４には、タービン油のオイルタンク内のオイルを、紙の積層間隙に通過させて不純物をブラウン運動等により紙の表面に付着させて除去するようにした清浄装置が記載されている。しかし、清浄装置は、油類を廃油として排出することを無くし廃棄物の発生を最小限にするため、紙を用いて、油類に混入してくる不純物（水分）を連続的に除去することを目的としたものである。
【００１１】
特許文献５には、家庭から出る生ごみ、廃食品、廃食材を含む混合廃棄物を破砕し、固形分を除去した後、廃油を糖化液中に遊離させて澱粉を糖化して水溶性にした後、３相式遠心分離装置にて、油分、水溶液分、固形分の３相に分離し、エタノールを製造する方法が記載されている。しかし、遠心分離装置は、油分、水溶液分、固形分の分離に使用されており、遠心分離装置の油封入電気機器への利用及び絶縁油の分析には言及していない。
【先行技術文献】
【特許文献】
【００１２】
【特許文献１】特開２００４−３４９０３８号公報（特許請求の範囲、［００３０］〜［００３６］等）
【特許文献２】特開２００６−５０７８１号公報（請求項１、［００１１］〜［００１２］等）
【特許文献３】特開２００８−４３８２６号公報（請求項５〜１０、［００１２］等）
【特許文献４】特開平１１−２９３２７５号公報（特許請求の範囲、［０００４］等）
【特許文献５】特開２０１３−１７６７５８号公報（特許請求の範囲、［図１］〜［図３］等）
【発明の概要】
【発明が解決しようとする課題】
【００１３】
本発明は、前記の現状に鑑みてなされたものであり、絶縁油が枯渇状態にある油封入電気機器からでも、迅速、安全、高精度で絶縁油を採取することが可能な絶縁油の採油方法及び分析方法を提供することを目的とする。
【課題を解決するための手段】
【００１４】
上記目的を達成するため、本発明者等は鋭意検討を行った結果、油封入電気機器の構成部材である油浸絶縁材料を遠心分離機にかけることにより、絶縁油を迅速かつ安全に、しかも溶剤による抽出操作を行わずに直接確保できるため、従来より高精度の分析が可能になることを見出し、本発明に到達した。
【００１５】
すなわち、本発明は、以下の通りである。
【００１６】
（１）油封入電気機器の一部を切断解体し、そこから取り出した油浸絶縁材料を遠心用容器に入れ、次いでこれを遠心分離機にかけて、遠心用容器の内壁に付着した絶縁油を採取することを特徴とする採油方法。
（２）油封入電気機器の一部を切断解体し、そこから取り出した油浸絶縁材料と液体吸着材料を遠心用容器に入れ、次いでこれを遠心分離機にかけて、油浸絶縁材料から分離した絶縁油を液体吸着材料に吸着させ、さらに液体吸着材料から絶縁油を採取することを特徴とする採油方法。
（３）液体吸着材料が、繊維の塊、紙片、布片、不織布片、高分子多孔質体及びそれらの組合せから選択される前記（２）に記載の採油方法。
（４）遠心分離機が、卓上型遠心分離機である前記（１）〜（３）いずれかに記載の採油方法。
（５）遠心用容器が、ガラス製またはプラスチック製である前記（１）〜（４）いずれかに記載の採油方法。
（６）油封入電気機器が、絶縁油が枯渇状態にある油封入電気機器である前記（１）〜（５）いずれかに記載の採油方法。
（７）前記（１）〜（６）いずれかに記載の採油方法により絶縁油を採取し、採取した絶縁油をＰＣＢ分析、ガス分析、定性分析または特性試験に供することを特徴とする分析方法。
【発明の効果】
【００１７】
本発明によれば、トランスやＯＦケーブル等の油封入電気機器に封入されている絶縁油を、当該絶縁油が枯渇した状態にある場合でも、油封入電気機器の構成部材である絶縁紙等の油浸絶縁材料から絶縁油を確保できる。溶剤による抽出操作が不要で、採取した絶縁油を直接分析できるため分析精度が向上する。
有機溶剤を使用せず遠心力だけで物理的に絶縁油を採取できるため安全性が高く、迅速性にも優れている。また、遠心力による分離操作で採取できるため、溶剤抽出の際に生じやすいヘキサンの混入や、超音波及び抽出液の蒸留分離による絶縁油の熱分解を防止することができ、その後の分析に影響を与えないので安定した分析値が得られる。
遠心分離操作で使用した遠心用容器、絶縁油（液体）吸着用材料、絶縁油採取用ミニシリンジ、ピンセット等の各種試験器具は、使い捨て可能である。そのため、ＰＣＢ分析等において洗浄再利用した分析器具を使用することによって生じ得る他試料からの汚染の心配が無く、それによるデータのバラツキ等の問題を解消できる。従来のヘキサン抽出法に比較し絶縁油採取時間を大幅に短縮できる。
【図面の簡単な説明】
【００１８】
【図１】本発明の一実施形態に係る採油方法の手順を示すフローチャートである。
【発明を実施するための形態】
【００１９】
図１は、本発明の絶縁油を採取する採油方法を示すフローチャートである。このフローチャートに示すように、対象となる油封入電気機器の一部を切断解体し、そこから油浸絶縁材料を取り出す。油封入機器としては、ＯＦケーブル、トランス等が挙げられる。
【００２０】
本発明の絶縁油採油方法は、絶縁油が枯渇状態にある油封入電気機器及び絶縁油が枯渇状態にない油封入電気機器のいずれに対しても適用することができ、とりわけ、絶縁油が枯渇状態にある油封入電気機器に対して有効である。
なお、本明細書において、“絶縁油が枯渇状態にある”とは、電気機器の構成部材に吸着され自由に移動できる液体（絶縁油）を確保できない状態にあることを言い、無加熱状態において、重力や電気機器の内外圧力でも絶縁油が落下または排出されない状態が該当する。例えばＯＦケーブルやトランスでは、採油コネクタ等の採油場所を開放状態にする、あるいは、当該機器を天地反転して静置しても、絶縁油が１滴も流れおちない状態、または、さらにポンプやタンク、万力などを用いた電気機器内外の圧力をもってしても絶縁油が１滴も流れ落ちない状態をいうが、電気機器全体の絶縁油が皆無であることを意味するものではない。またここでいう１滴とは絶縁油分析が必要とする最小量である。
【００２１】
上記の油浸絶縁材料とは、絶縁油が封入されている油封入電気機器の構成部材のうち、絶縁油が浸透している部材を言い、絶縁紙の他、布テープ、プレスボード、編組線、より線導体などの繊維状の材料等が該当する。
【００２２】
油封入電気機器からの油浸絶縁材料を取り出し方法は、特に限定されるものではなく、公知の方法を採用することができる。例えば、マンホール内にある残置ＯＦケーブルの一部を切り出してそこから油浸絶縁材料を取り出す、あるいは、トランスを開放して油浸絶縁材料を取り出す場合等において、絶縁紙またはその周辺部材（布テープ等）の一部をカッター等を用いて切断解体し、ピンセット等を用いて絶縁紙等を必要量取り出す方法等が挙げられる。
【００２３】
本発明では、取り出した油浸絶縁材料を蓋つきの遠心用容器（遠沈管等）に入れて容器を密閉した後、油浸絶縁材料を格納した遠心用容器を遠心分離機にかけて、絶縁油を分離採取する。遠心分離条件は、通常の遠心分離操作に準ずればよく、回転数は約３，０００〜５，０００ｒｐｍ、時間は約３〜１０分間程度が好ましい。回転数及び時間は、絶縁油の分離状況に応じて適宜変更することができるが、分析精度を高める観点からは、回転数及び回転時間を統一することが好ましい。
【００２４】
遠心用容器の容量は任意であり、油浸絶縁材料の大きさ（即ち、分析に必要な絶縁油量）に応じて選択すればよい。遠心用容器は、ガラス製またはプラスチック製等を使用することができるが、コスト、作業性、廃棄容易性等の観点より、プラスチック製（ポリエチレン製、ポリプロピレン製等）が好ましい。
【００２５】
遠心分離機としては、極微量絶縁油の採取が容易であることや、経済性の観点より、卓上式遠心分離機が好ましい。型式は特に限定されず、汎用機、マイクロロータ兼用高速機等を用いることができる。
【００２６】
＜極微量絶縁油の採油＞
極微量絶縁油を採取する際は、遠心分離操作によって油浸絶縁材料から分離し、遠心用容器の内壁に付着した絶縁油を、綿棒等の先端に付着させて採取する方法が好ましい。これにより、０．１ｍＬ以下の極微量の絶縁油を確保できる。
【００２７】
このようにして採取した絶縁油は、綿棒等に浸み込ませた状態のままで、フーリエ変換赤外分光計（ＦＴ−ＩＲ）を用いる赤外線吸収スペクトルの測定等の定性分析に供することができる。
【００２８】
＜微量ないし少量絶縁油の採油＞
微量ないし少量絶縁油を採取する際は、遠心分離操作を行う際に、油浸絶縁材料と液体吸着材料を同じ遠心用容器に入れ、遠心分離操作によって油浸絶縁材料から分離した絶縁油を液体吸着材料に吸着させる方法が好ましい。液体吸着材料としては、絶縁油を吸着可能な材料であれば、大きさや材質は特に限定されず、例えば、綿、麻、ウール等の繊維の塊、濾紙等の紙片、織物や編物の布片、不織布片、海綿、スポンジ、発泡樹脂等の高分子多孔質体及びそれらの組合せから選択されるもの等を用いることができる。その中でも、コスト、入手容易性、絶縁油の浸み込み易さ、取り出し易さ等の点より、綿球が好ましい。綿球は、薬局等で市販されているものを用いることができる。
【００２９】
綿球等を遠心用容器の底部に配置しておくことで、絶縁紙等から分離した絶縁油を容易に綿球等に移行、吸着させることができる。綿球等への移行、吸着の程度は、綿球等の着色具合の変化で容易に確認できる。分離させた絶縁油が綿球等の一部に吸着している状態が好ましい。
【００３０】
次いで、液体吸着材料から吸着した絶縁油を採取する。採取方法は、吸着した絶縁油を分離できる方法であれば特に限定されず、例えば、液体吸着材料を捩じる、押し潰す等の方法が挙げられる。中でも、絶縁油を吸着した綿球をミニシリンジ等の押出し可能な容器に入れ、綿球を押し潰して採油する方法は、絶縁油を安全かつ確実に確保できる点で好ましい。この方法によれば、１回の操作で、０．１ｍＬ〜３ｍＬの絶縁油を確保できる。所望の絶縁油量は分析種類によって異なるため、より多量（〜５０ｍＬ）の絶縁油を要する場合は、遠心分離操作から採油までの一連の操作を複数回実施すればよい。
【００３１】
上記採油方法によれば、短時間かつ簡便に絶縁油を採取することができるだけでなく、各操作で使用した器具（ピンセット、遠心用容器、ミニシリンジ、液体吸着材料）を使い捨てにすることができる。万一、絶縁油に０．５ｍｇ／ｋｇを超えるＰＣＢが含まれている場合でも、ＰＣＢ廃棄物として処理すればよいので、ガラス器具を洗浄再利用する方法に比べて、他試料からの汚染の恐れが無く、高精度のデータを入手できる。
【００３２】
以上の採油方法により採取した絶縁油について、ＰＣＢ分析、ガス分析、定性分析または特性試験を実施する。ＰＣＢ分析では、ガスクロマトグラフィー質量分析計（ＧＣ−ＭＳ）等を用いて、油中のＰＣＢ濃度を測定する。ガス分析では、ガスクロマトグラフィー等を用いて、油中の可燃性ガス、溶存ガスの濃度を測定する。特性試験では、水分量、誘電正接、酸価などを測定し、測定値が基準値を満たしているか否かを判断する。また、その他性状試験ではＩＣＰ（誘導結合プラズマ）を用いた油中金属濃度を測定する。
【００３３】
上記の絶縁油の採油方法は、簡単な装置・操作での採取を可能としており、ヘキサン等の有機溶剤を使用しないため安全であり、有機溶剤の分留操作が不要であるため他成分の混入や熱分解のおそれがなく、フラスコ等に再利用品を用いないため汚染の心配がないことと相俟って、迅速かつ簡便であり、分析を繰り返し実施しても分析値の振れが極めて小さいことから、油封入電気機器の絶縁油の採油方法として有用である。また、絶縁油が枯渇状態にある油封入電気機器からの絶縁油の採取方法として、極めて有用である。採取した絶縁油をＰＣＢ分析、ガス分析または特性試験に供することにより、溶剤抽出法により採取した絶縁油の替わりに、直接採取した絶縁油を使用するので、溶剤由来の不純物の混入、超音波照射や溶剤蒸留による絶縁油の熱分解と言った影響因子が存在しないため、高精度の分析を実現できる。
【００３４】
本発明の採油方法及び分析方法を個々の試料や装置等に適用するにあたっては、それぞれの方法における通常の条件、操作法に当業者の通常の技術的配慮を加えて、実施すればよい。
【実施例】
【００３５】
以下、本発明を実施例を用いて具体的に説明するが、本発明は以下の実施例にのみ限定されるものではない。
【００３６】
（実施例１）
絶縁油が枯渇した状態にあるＯＦケーブルから絶縁紙を切り出し、約２０×３００ｍｍの大きさに切断した。
ピンセット（ＡＺＯＮＥ  ビオラモ（ＶＤＰ−０２０）ＡＢＳ樹脂製）を用いて、ポリプロピレン製遠沈管（ＡＺＯＮＥ  ビオラモ（ＶＩＯ−５０Ｒ）５０ｍＬ用（φ３０×１１４ｍｍ））の底部に、綿球（ピップ製  φ１０ｍｍ、綿１００％）を１個配置し、その上に切断した絶縁紙を縦方向に入れ、蓋をして密閉した。
上記の遠沈管を卓上遠心分離機（久保田テーブルトップ遠心機４０００）にセットし、３，５００ｒｐｍ×３分間、運転した結果、綿球の上部（全体の約１／４）が着色した。
絶縁油が吸着した綿球を、ミニシリンジ（ＡＺＯＮＥ  ３ｍＬディスポシリンジ）に入れ、ピストンにて綿球を押し潰すことで、綿球から絶縁油を押し出し、絶縁油約３ｍＬを採取した。
遠心分離から絶縁油採取までの所要時間は約１５分であった。
【００３７】
（実施例２）
絶縁油が枯渇した状態に無いＯＦケーブルから絶縁紙を切り出し、約２０×３００ｍｍの大きさに切断した。
実施例１と同様の方法により、遠心分離法により絶縁油Ａを採取した。また、同じＯＦケーブルから、コネクタを介して絶縁油Ｂを採取した。
絶縁油Ａおよび絶縁油Ｂについて、ガスクロマトグラフィー質量分析計（ＧＣ−ＭＳ）を用いて、絶縁油中のＰＣＢ濃度を求めた。その結果、絶縁油ＡのＰＣＢ濃度は０．８２ｐｐｍ、絶縁油ＢのＰＣＢ濃度は０．８３ｐｐｍであり、絶縁油Ａと絶縁油ＢのＧＣ−ＭＳの波形も一致していた。
上記の結果より、本発明の採油方法を採用すれば、熱分解による絶縁油の変質やヘキサン等の他成分の混入が起きていないことが分かった。
【００３８】
（実施例３）
絶縁油が枯渇した状態にあるＯＦケーブルから取り出した絶縁紙を、約２０×３００ｍｍの大きさに切断した。
ピンセット（ＡＺＯＮＥ  ビオラモ（ＶＤＰ−０２０）ＡＢＳ樹脂製）を用いて、ポリプロピレン製遠沈管（ＡＺＯＮＥ  ビオラモ（ＶＩＯ−５０Ｒ）５０ｍＬ用（φ３０×１１４ｍｍ））に、切断した絶縁紙を縦方向に入れ、蓋をして密閉した。
上記の遠沈管を卓上遠心分離機（久保田テーブルトップ遠心機４０００）にセットし、３，５００ｒｐｍ×３分間、運転した。運転停止後、遠沈管の内壁に付着した絶縁油を綿棒の先端で採取した。
採取した絶縁油が吸着した綿棒を、フーリエ変換赤外分光計（ＦＴ−ＩＲ）を用いてＡＴＲ法により分析した結果、絶縁油と認める特徴的なピークを確認することができた。
【００３９】
（比較例１）
絶縁油が枯渇した状態にあるＯＦケーブルから取り出した絶縁紙を、約１００ｇ切断し、ヘキサン１００ｍＬを入れた容器に切断した絶縁紙を入れ、超音波洗浄機にかけた後、絶縁油が溶出したヘキサン溶液をナスフラスコに移し替え、ヘキサン溶液をロータリーエバポレータにかけて絶縁油を加熱蒸留分離した。絶縁紙の裁断から絶縁油採取までの所要時間は、約８０分であった。
この方法では、絶縁油にヘキサンが混ざり、超音波処理や分留操作による加温の影響で絶縁油が熱分解して変質する現象が見られた。また、分留操作では温度管理が重要となるが、温度管理を誤った場合にはヘキサンが残留することで絶縁油のみを確保できなくなることで、ＰＣＢ濃度計算に誤りが生じる恐れがあった。
【００４０】
以上の結果から、遠心分離法による分離操作、または、遠心分離法と綿球等の液体吸着材料とを組み合せた分離操作により、絶縁油が枯渇状態にある油封入電気機器からでも、絶縁油の採取、分析が可能であることを確認できた。
【産業上の利用可能性】
【００４１】
本発明は、各種油封入電気機器における絶縁油の採油方法及び分析方法として利用できる他、油封入電気機器で課題となっている絶縁油中のＰＣＢ濃度分析に対して有用である。よって、その実用的価値は高い。
【要約】
【課題】絶縁油が枯渇状態にある油封入電気機器からでも、迅速、安全、高精度で絶縁油を採取することが可能な絶縁油の採油方法及び分析方法を提供する。
【解決手段】油封入電気機器の一部を切断解体し、そこから取り出した油浸絶縁材料を遠心用容器に入れ、次いでこれを遠心分離機にかけて、遠心用容器の内壁に付着した絶縁油を採取する採油方法、及び、油封入電気機器の一部を切断解体し、そこから取り出した油浸絶縁材料と液体吸着材料を遠心用容器に入れ、次いでこれを遠心分離機にかけて、油浸絶縁材料から分離した絶縁油を液体吸着材料に吸着させ、さらに液体吸着材料から絶縁油を採取する採油方法である。
【選択図】図１【図１】
0006032778.tif 000002